(57)【要約】      （修正有）【課題】多色印刷機の印刷ピッチの変動に伴なう機器の取り替えを少なくして資材費を節減するとともにこれに伴う作業量を少なくし、併せて被印刷物への印刷位置の修正を容易にして能率的な稼働に資する。【解決手段】複数個の版胴１にそれぞれ圧胴２を配し、印刷ピッチの変動に対しては圧胴の位置を移動させることによって、版胴のみ取り替えて版胴ギヤ６の取り替えを必要としないこととする。また、版胴ギヤを駆動するため１個の主版胴駆動ギヤ４とこれに咬合する副版胴駆動ギヤ５を版胴ギヤごとに設け、副版胴駆動ギヤには版胴の回転速度を制御して被印刷物への印刷位置の修正を容易にする機能を持たせる。【選択図】図１
0003108803.tif 000002
【実用新案登録請求の範囲】
【請求項１】
凸版輪転機に配された回転軸位置が移動しない複数の版胴に当接して、それぞれ回転軸位置の移動が可能な圧胴が配されており、前記版胴の径の変動に伴い必要な前記圧胴との当接場所の変更が、前記圧胴の回転軸位置の移動によってなされることにより、前記版胴を駆動する版胴ギヤの取り替えを必要としない構造であることを特徴とする多色印刷機。
【請求項２】
前記版胴ギヤを駆動する版胴駆動ギヤは、１個の主版胴駆動ギヤとこれに咬合する前記版胴ギヤごとに配される副版胴駆動ギヤからなり、前記副版胴駆動ギヤは、前記版胴の回転速度を制御して被印刷物への印刷位置を修正する機能を有する位相調整装置を内蔵することを特徴とする請求項１に記載の多色印刷機。
【考案の詳細な説明】
【技術分野】
【０００１】    本考案は、印刷ピッチの変動に対応する機器の取り替えを少なくすることにより、資材費を節減するとともに機器の取り替えに要する作業量を軽減し、併せて被印刷物への印刷位置の修正を容易にすることを目的とする多色印刷機に関する。
【背景技術】
【０００２】    多色印刷用凸版輪転機については、次のような構造で圧胴及びこれに当接する版胴を連続的に回転させて、版胴に全面的に装着した版により圧胴に巻き掛けて送られて来る被印刷物に効率的に印刷するのが従来からの方式である。
１、大口径の圧胴の周方向に複数の版胴を配し、圧胴を駆動する圧胴ギヤに咬合する版胴ギヤによって各版胴が圧胴と同一周速で回転する。
２、大口径の圧胴駆動ギヤの周方向に、これに咬合する複数の圧胴ギヤ及びこれに連動して回転する圧胴を配し、各圧胴ギヤに咬合する版胴ギヤによってこれに連動して回転する複数の版胴がこれに対応する圧胴と同一周速で回転する。
このような印刷機においては、通常圧胴と圧胴ギヤは同径であり、版胴と版胴ギヤも同径である。
印刷ピッチの異なるごとにそれに対応した径の版胴に取り替える必要があるが、圧胴及び圧胴ギヤの大きさは固定されているから、版胴の取り替えに伴って版胴ギヤも取り替える必要が生じる。
公開特許公報平２−１２１８４０によれば、版胴に装着する版を版胴の外周の一定部分に限定し、版胴は連続して回転するが、圧胴及び被印刷物は被印刷物が版に接触している間のみ回転あるいは移動し、それ以外は停止する構造として印刷ピッチの変更に対しては版の取り替えのみで対応し、版胴及び版胴ギヤの取り替えは必要ないとしている。
【考案の開示】
【考案が解決しようとする課題】
【０００３】    従来からの方式による多色印刷機については、版胴の取り替えに伴ってそれを駆動する版胴ギヤの取り替えを必要とするから、各種サイズの版胴に見合った版胴ギヤを手持ちしておかなければならず、それだけ経費が嵩みその保管場所も必要となる。また、版胴及び版胴ギヤの取り替え作業及びこれに伴う機器の調整作業が必要である。
公開特許公報平２−１２１８４０については、その機能を発揮するためには版の回転方向の長さを版胴円周より短くする（実験によれば円周の７０パーセント程度が限界との説もある）必要があり、したがって印刷ピッチが同じであっても従来方式の印刷機の場合よりも径の大きい版胴を必要とする。また、圧胴及び被印刷物は断続的に回転または移動するので、その制御のために複雑な装置を必要としている。
印刷ピッチの変動に対応する機器の取り替えを少なくすることによって、従来よりも資材費を節減するとともに取り替えに要する作業量を少なくし、併せて被印刷物への印刷位置の修正を容易にして効率よく稼働できる機器を提供することが課題である。
【課題を解決するための手段】
【０００４】    印刷ピッチの変動に対して、版胴は従来どおり取り替えるが、版胴を回転させる版胴ギヤは取り替えないことにより各種サイズの版胴ギヤを保有する必要を無くするものとし、そのため圧胴の位置が固定しているこれまでの構造に変えて、回転軸位置が移動しない複数の版胴に当接してそれぞれ回転軸位置の移動が可能な圧胴を配し、圧胴の回転軸位置の移動により版胴の径の変動に応じて版胴と圧胴の当接場所を変更するものとする。
また、版胴ギヤを駆動するため、１個の主版胴駆動ギヤと、これに咬合する副版胴駆動ギヤを版胴ギヤごとに設け、副版胴駆動ギヤには版胴の回転速度を制御して被印刷物への印刷位置を修正する機能を持たせるものとする。
【考案の効果】
【０００５】    本考案による多色印刷機は、印刷ピッチの変動による機器の調整を版胴の取り替えのみによって行うので、各種サイズの版胴ギヤを保有する必要がなくそれだけ資材費が節減され、機器の取り替えに伴う作業量も少なくなる。また、副版胴駆動ギヤの設置によって、版胴の回転速度を制御し静止時のみならず稼働中においても被印刷物への印刷位置の修正が容易になされる。また、副次的効果としてインキローラーの駆動源を独立させたことにより、インキ洗い作業が容易になる。
【考案を実施するための最良の形態】
【０００６】    主版胴駆動ギヤの外周に咬合する副版胴駆動ギヤ及びこれに咬合する版胴ギヤによって回転する複数個の版胴には、輪転機の中心側にそれぞれ圧胴を当接するように配する。
被印刷物は、別の駆動源による引き出しローラー及び巻き取り軸の回転によって各版胴と圧胴の当接面を通過し、版胴に装着された版によって印刷されたうえで巻き取り軸に巻き取られる。
版胴ギヤは同一位置に固定され、それに伴って版胴の回転軸の位置も固定される。
印刷ピッチの変動には版胴の取り替えによって対応し、それぞれの圧胴は、対応する版胴の径の変化に応じてその回転軸の位置を当初設定した版胴と圧胴のそれぞれの回転軸を結ぶ線あるいはその延長線上に移動させて、版胴との適切な当接面を保持する。
副版胴駆動ギヤは並列する２個のギヤからなり、版胴ギヤ側のギヤの回転速度を制御する位相調整装置を内蔵している。主版胴駆動ギヤからの動力はこの２個のギヤを経て版胴ギヤに伝えられる。
【実施例】
【０００７】    本考案を４色印刷機の例によって説明する。
４基の版胴１は、駆動源（図示せず）から源駆動ギヤ３、主版胴駆動ギヤ４、副版胴駆動ギヤ５及び版胴ギヤ６を経て得た動力によって回転する。
被印刷物７は、別の駆動源（図示せず）から得た動力による引き出しローラー８及び巻き取り軸９の回転により各版胴１と圧胴２との当接面を通過し、その際版胴１に取り付けられた版（図示せず）によって印刷されて最後に巻き取り軸９に巻き取られる。
圧胴２は、版胴１の回転と被印刷物７の移動に伴って受動的に回転するが、被印刷物７の移動をスムースに行うため必要であれば、それぞれに駆動源を配して能動的に回転するようにしてもよい。
被印刷物７の移動を円滑にするためガイドローラー１０、押さえローラー１１が所要箇所に配置されている。
インキローラー１２は、従来は版胴ギヤ６から動力を得ていたが、本考案により版胴１の径が変更されても版胴ギヤ６が変更しないことから動力を得ることが困難となるので、インキローラー１２ごとに駆動源（図示せず）を設けるものとする。
印刷ピッチを変更する場合は、版胴１をそれに連結している版胴ギヤ６から取り外して取り替え、これに伴ない圧胴２の回転軸位置を当初設定した版胴１と圧胴２の回転軸を結ぶ線あるいはその延長線上に移動して版胴１と圧胴２の適切な当接面を保持する。
副版胴駆動ギヤ５は、２個のギヤ５ａ及び５ｂを並列させたもので、主版胴駆動ギヤ４からの動力は５ａ、５ｂを経て版胴ギヤ６に伝えられるが、ギヤ５ｂの回転速度を制御する位相調整装置１４を内蔵し、これによって版胴の回転速度を制御して静止時のみならず稼働時にも被印刷物への印刷位置の修正を容易にする。
【図面の簡単な説明】
【０００８】
【図１】本考案の４色印刷機の構造を示す正面図である。
【図２】図１のＡ矢視図（インキローラーを除く）の部分である。
【図３】従来の４色印刷機の構造を示す正面図の１例である。
【図４】従来の４色印刷機の構造を示す正面図の他例である。
【符号の説明】
【０００９】１    版胴
２    圧胴
３    源駆動ギヤ
４    主版胴駆動ギヤ
５    副版胴駆動ギヤ（５ａ、５ｂ）
６    版胴ギヤ
７    被印刷物
８    引き出しローラー
９    巻き取り軸
１０  ガイドローラー
１１  押さえローラー
１２  インキローラー
１３  差し出し軸
１４  位相調整装置
１５  圧胴ギヤ
１６  圧胴駆動ギヤ
【図１】
0003108803.tif 000003
【図２】
0003108803.tif 000004
【図３】
0003108803.tif 000005
【図４】
0003108803.tif 000006
【手続補正書】
【提出日】平成16年11月24日(2004.11.24)
【手続補正１】
【補正対象書類名】実用新案登録請求の範囲
【補正対象項目名】全文
【補正方法】変更
【補正の内容】
【実用新案登録請求の範囲】
【請求項１】
複数個の版胴１と、前記各版胴１とで被印刷物７を挟持する圧胴２とを有し、前記各版胴１で被印刷物７に印刷を施す多色印刷機において、源駆動ギヤ３で回転させられる主版胴駆動ギヤ４に複数個の副版胴駆動ギヤ５を咬み合わせ、前記各副版胴駆動ギヤ５にそれぞれ版胴ギヤ６を咬み合わせ、前記各版胴ギヤ６に前記各版胴１を着脱自在に取り付け、前記各版胴１の大きさに応じて前記各圧胴２の位置を変位させることを特徴とする多色印刷機。
【請求項２】
前記副版胴駆動ギヤ５は、前記主版胴駆動ギヤ４と咬み合うギヤ５ａと前記版胴ギヤ６と咬み合うギヤ５ｂとの２個のギヤからなり、前記副版胴駆動ギヤ５の中に前記版胴ギヤ６と咬み合うギヤ５ｂの回転速度を制御する位相調整装置１４を内蔵することを特徴とする請求項１に記載の多色印刷機。